(57)【要約】【課題】ベアラ分割を伴うＤｕａｌ  Ｃｏｎｎｅｃｔｉｖｉｔｙを開始するために必要な制御手順を提供する。【解決手段】無線端末は、第１及び第２の無線局によりそれぞれ管理される第１及び第２のセルを使用してＤｕａｌ  Ｃｏｎｎｅｃｔｉｖｉｔｙを行う。第１の無線局は、Ｓｐｌｉｔ  ｂｅａｒｅｒをサポートし、ＲＲＣメッセージを第１のセルで送信する。ＲＲＣメッセージは、Ｓｐｌｉｔ  ｂｅａｒｅｒの第１のセルに割り当てられる部分に対応する第１のＤＲＢに関する設定情報、及びＳｐｌｉｔ  ｂｅａｒｅｒの第２のセルに割り当てられる部分に対応する第２のＤＲＢに関する設定情報を含む。第１のＤＲＢに関する設定情報は第１のＤＲＢの識別情報（ｄｒｂ−Ｉｄｅｎｔｉｔｙ）を含み、第２のＤＲＢに関する設定情報は第１のｄｒｂ−Ｉｄｅｎｔｉｔｙと同一の値に設定された第２のＤＲＢの識別情報（ｄｒｂ−Ｉｄｅｎｔｉｔｙ）を含む。【選択図】図２
2018157600.tif 000002
【特許請求の範囲】
【請求項１】
第１のセルを管理し、前記第１のセルと、第２の無線局が管理する第２のセルと、を使用してDual Connectivityを行う無線端末と通信する第１の無線局であって、
前記第１の無線局と前記第２の無線局とのリソースを使用するために、前記第１の無線局と前記第２の無線局とに分割されるベアラであるSplit bearerをサポートする制御手段と、
前記Split bearerの前記第１のセルに割り当てられる部分に対応する第１のデータベアラ(DRB)に関する設定情報と前記Split bearerの前記第２のセルに割り当てられる部分に対応する第２のDRBに関する設定情報とを少なくとも含む、Radio Resource Control (RRC) メッセージを、前記第１のセルで送信する送信手段と、を有し、
前記第１のDRBに関する設定情報は前記第１のDRBの識別情報(drb-Identity)を含み、
前記第２のDRBに関する設定情報は前記第２のDRBの識別情報(drb-Identity)を含み、
前記第１のdrb-Identityと第２のdrb-Identityを同一の値に設定する、第１の無線局。
【請求項２】
前記Dual Connectivityのために用いられるベアラは前記Split bearerと考慮されるように、前記同一の値に設定される、前記第１のdrb-Identityと前記第２のdrb-Identityと、が前記無線端末に使用される、請求項１に記載の第１の無線局。
【請求項３】
前記第２のdrb-Identityを前記第２の無線局へ送信する、請求項１又は請求項２に記載の第１の無線局。
【請求項４】
第１の無線局が管理する第１のセルと、第２の無線局が管理する第２のセルとを使用してDual Connectivityを行う無線端末であって、
前記第１のセルと前記第２のセルとのリソースを使用するために、前記第１の無線局と前記第２の無線局とに分割されるベアラであるSplit bearerをサポートする制御手段と、
前記Split bearerの前記第１のセルに割り当てられる部分に対応する第１のデータベアラ(DRB)に関する設定情報と前記Split bearerの前記第２のセルに割り当てられる部分に対応する第２のDRBに関する設定情報とを少なくとも含む、Radio Resource Control (RRC)メッセージを、前記第１のセルで受信する受信手段と、を有し、
前記第１のDRBに関する設定情報は前記第１のDRBの識別情報(drb-Identity)を含み、
前記第２のDRBに関する設定情報は前記第２のDRBの識別情報(drb-Identity)を含み、
前記第１のdrb-Identityと第２のdrb-Identityとが同一の値に設定される、無線端末。
【請求項５】
前記同一の値に設定される、前記第１のdrb-Identityと前記第２のdrb-identityとを使用して、前記Dual Connectivityのために用いられるベアラはsplit bearerと考慮する、請求項４に記載の無線端末。
【請求項６】
第１のセルを管理する第１の無線局と、
第２のセルを管理する第２の無線局と、
前記第１のセルと前記第２のセルとを使用してDual Connectivityを行う無線端末と、を備える通信システムであって、
前記第１の無線局は、
前記第１の無線局と前記第２の無線局とのリソースを使用するために、前記第１の無線局と前記第２の無線局とに分割されるベアラであるSplit bearerをサポートする制御手段と、
前記Split bearerの前記第１のセルに割り当てられる部分に対応する第１のDRBに関する設定情報と前記Split bearerの前記第２のセルに割り当てられる部分に対応する第２のDRBに関する設定情報とを少なくとも含む、Radio Resource Control (RRC) メッセージを、前記第１のセルで送信する送信手段と、を有し、
前記無線端末は、
前記Split bearerをサポートする制御手段と、
前記Radio Resource Control (RRC)メッセージを、前記第１のセルで受信する受信手段と、を有し、
前記第1のDRBに関する設定情報は前記第１のDRBの識別情報(drb-Identity)を含み、
前記第2のDRBに関する設定情報は前記第２のDRBの識別情報(drb-Identity)を含み、
前記第１のdrb-Identityと第２のdrb-Identityは同一の値に設定される、通信システム。
【請求項７】
第１のセルを管理し、前記第１のセルと、第２の無線局が管理する第２のセルと、を使用してDual Connectivityを行う無線端末と通信する第１の無線局における制御方法であって、
前記第１の無線局と前記第２の無線局とのリソースを使用するために、前記第１の無線局と前記第２の無線局とに分割されるベアラであるSplit bearerをサポートし、
前記Split bearerの前記第１のセルに割り当てられる部分に対応する第１のデータベアラ(DRB)に関する設定情報と前記Split bearerの前記第２のセルに割り当てられる部分に対応する第２のDRBに関する設定情報とを少なくとも含む、Radio Resource Control (RRC) メッセージを、前記第１のセルで送信し、
前記第１のDRBに関する設定情報は前記第１のDRBの識別情報(drb-Identity)を含み、
前記第２のDRBに関する設定情報は前記第２のDRBの識別情報(drb-Identity)を含み、
前記第１のdrb-Identityと第２のdrb-Identityを同一の値に設定する、制御方法。
【請求項８】
前記Dual Connectivityのために用いられるベアラは前記Split bearerと考慮されるように、前記同一の値に設定される、前記第１のdrb-Identityと前記第２のdrb-Identityと、が前記無線端末に使用される、請求項７に記載の制御方法。
【請求項９】
前記第２のdrb-Identityを前記第２の無線局へ送信する、請求項７又は請求項８に記載の制御方法。
【請求項１０】
第１の無線局が管理する第１のセルと、第２の無線局が管理する第２のセルとを使用してDual Connectivityを行う無線端末における制御方法であって、
前記第１のセルと前記第２のセルとのリソースを使用するために、前記第１の無線局と前記第２の無線局とに分割されるベアラであるSplit bearerをサポートし、
前記Split bearerの前記第１に割り当てられる部分に対応する第１のデータベアラ(DRB)に関する設定情報と前記Split bearerの前記第２のセルに割り当てられる部分に対応する第２のDRBに関する設定情報とを少なくとも含む、Radio Resource Control (RRC) メッセージを、前記第１のセルで受信し、
前記第１のDRBに関する設定情報は前記第１のDRBの識別情報(drb-Identity)を含み、
前記第２のDRBに関する設定情報は前記第２のDRBの識別情報(drb-Identity)を含み、
前記第１のdrb-Identityと第２のdrb-Identityとが同一の値に設定される、制御方法。
【請求項１１】
前記同一の値に設定される、前記第１のdrb-Identityと前記第２のdrb-Identityとを使用して、前記Dual Connectivityのために用いられるベアラはSplit bearerと考慮する、請求項１０に記載の制御方法。
【発明の詳細な説明】
【技術分野】
【０００１】
本出願は、複数の基地局がそれぞれのセルにおいて同じ無線端末と通信を行う無線通信システムに関する。
【背景技術】
【０００２】
近年のモバイルトラフィックの急激な増大による通信品質の低下の改善、及びさらなる高速通信の実現の為、3GPP Long Term Evolution（LTE）では無線基地局（eNode B: eNB）と無線端末（User Equipment: UE）が複数のセルを使用して通信を行うキャリアアグリゲーション（Carrier Aggregation: CA）機能の仕様化が行われている。なお、UEがCAで使用可能なセルは、１つのeNBの複数セル（つまり、eNBによって運用または管理される複数セル）に限定される。CAにおいてUEが使用するセルは、CAを開始する時点で既にサービングセルとして使用されているプライマリセル（Primary cell: PCell）と、追加的に又は従属的に使用されるセカンダリセル（Secondary cell: SCell）に分類される。PCellでは、無線接続の（再）確立（RRC Connection Establishment, RRC Connection Re-establishment）の際に、Non Access Stratum（NAS）モビリティ情報（NAS mobility information）及びセキュリティ情報（security input）が送受信される（非特許文献１のセクション7.5を参照）。
【０００３】
CAでは、eNBからUEに送信されるSCell設定情報は、SCellの（UE間）共通無線リソース設定情報（RadioResourceConfigCommonSCell）、及びSCellの（UE毎）個別無線リソース設定情報（RadioResourceConfigDedicatedSCell）を含む。後者は、主に物理層の個別設定（PhysicalConfigDedicated）を示す。送信タイミング（Timing Advance: TA）が異なるセル（キャリア）が上りリンクでアグリゲーションされる場合には、Medium Access Control （MAC）副層の設定情報（MAC-MainConfigSCell）もeNBからUEに送信されるが、このMAC副層の設定情報は、TAが同じセルの集合を表すTA Group (TAG)のインデックス（STAG-Id）のみを含む（非特許文献２のセクション5.3.10.4を参照）。その他のMAC副層の設定はPCellとSCellで共通である。
【０００４】
現在、LTE標準化において、Heterogeneous Network (HetNet)環境を主に想定した場合に、UEが複数のeNBの複数のセルを使用して通信を行うDual Connectivityの検討が行われている（非特許文献３を参照）。Dual Connectivityは、メイン基地局（マスター基地局、Master eNB: MeNB）とサブ基地局（セカンダリ基地局、Secondary eNB: SeNB）によって提供される（つまり、管理される）それぞれの無線リソース（つまり、セル又はキャリア）を同時使用してUEが通信を行う処理である。Dual Connectivityは、異なるeNBによって管理される複数のセルをUEがアグリゲーションするinter-eNB CAを可能とする。また、Dual Connectivityは、異なるnodeによって管理される複数の無線リソースをUEがアグリゲーションするという観点から、inter-node radio resource aggregationとも呼ばれる。MeNBは、Xnと呼ばれる基地局間インタフェースでSeNBと接続される。MeNBは、Dual Connectivityを実行するUEに対するコアネットワーク（Evolved Packet Core: EPC）のモビリティ管理装置（Mobility Management Entity: MME）との接続（S1-MME）を保持する。その為、MeNBはUEのモビリティ管理ポイント（又はmobility anchor）と呼ぶことができる。例えば、MeNBはMacro eNBであり、SeNBはPico eNB 又はLow Power Node（LPN）である。
【０００５】
さらに、Dual Connectivityにおいて、ネットワークベアラ（EPS bearer）がMeNBとSeNBに分割されるベアラ分割（Bearer Split）も検討されている。本明細書においてネットワークベアラ（EPS Bearer）は、UEが受けるサービス毎にUEとコアネットワーク（EPC）のエンドポイント（つまり、P-GW (Packet Data Network Gateway）)との間に設定される仮想的なコネクションを意味する。ベアラ分割の１つの案（alternative）では、例えば、MeNBのセルを経由する無線ベアラ（Radio Bearer: RB）及びSeNBのセルを経由する無線ベアラの両方が１つのネットワークベアラにマッピングされる。ここで言う無線ベアラ（RB）は主にデータ無線ベアラ（Data radio bearer: DRB）を指す。ベアラ分割は、ユーザースループットのさらなる向上に寄与することが期待されている。
【先行技術文献】
【非特許文献】
【０００６】
【非特許文献１】3GPP TS 36.300 V11.5.0 (2013-03), “3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 11)”, 2013年3月
【非特許文献２】3GPP TS 36.331 V11.4.0 (2013-06), “3rd Generation Partnership Project; Technical Specification Group Radio Access Network; Evolved Universal Terrestrial Radio Access (E-UTRA); Radio Resource Control (RRC); Protocol specification (Release 11)”, 2013年6月
【非特許文献３】3GPP TR 36.842 V0.2.0 (2013-05), “3rd Generation Partnership Project; Technical Specification Group Radio Access Network; Evolved Universal Terrestrial Radio Access (E-UTRA); Study on Small Cell Enhancements for E-UTRA and E-UTRAN - Higher layer aspects (Release 12)”, 2013年5月
【発明の概要】
【発明が解決しようとする課題】
【０００７】
ベアラ分割を伴うDual Connectivityを開始するための制御手順は十分に確立されていない。したがって、本明細書に開示される実施形態が達成しようとする目的の１つは、ベアラ分割を伴うDual Connectivityを開始するために必要な制御手順又はシグナリングを提供することである。その他の目的又は課題と新規な特徴は、本明細書の記述又は添付図面から明らかにされる。
【課題を解決するための手段】
【０００８】
一実施形態において、無線通信システムは、無線アクセスネットワーク及び無線端末を含む。前記無線アクセスネットワークは、第１のセルを管理する第１の基地局及び第２のセルを管理する第２の基地局を含む。前記無線端末は、前記無線端末とコアネットワークの間のネットワークベアラが前記第１の基地局及び前記第２の基地局に分割されるベアラ分割を伴うdual connectivityをサポートする。さらに、前記無線アクセスネットワークは、前記ベアラ分割を伴うdual connectivityのために必要なaccess stratumの第１の制御情報を前記無線端末に送信するよう構成されている。
【０００９】
一実施形態において、基地局装置は、無線端末とコアネットワークの間のネットワークベアラが前記基地局装置及び周辺基地局に分割されるベアラ分割を伴うdual connectivityを制御する通信制御部を含む。前記通信制御部は、前記ベアラ分割を伴うdual connectivityのために必要なaccess stratumの第１の制御情報を前記無線端末に送信するよう構成されている。
【００１０】
一実施形態において、無線端末は、前記無線端末とコアネットワークの間のネットワークベアラが第１及び第２の基地局に分割されるベアラ分割を伴うdual connectivityを制御する通信制御部を含む。前記通信制御部は、前記ベアラ分割を伴うdual connectivityのために必要なaccess stratumの第１の制御情報を前記第１又は第２の基地局から受信し、前記第１の制御情報を基に前記ベアラ分割の有無を認識し、前記第１の制御情報に基づいて前記dual connectivityの通信を制御するよう構成されている。
【００１１】
一実施形態において、制御方法は、無線端末とコアネットワークの間のネットワークベアラが第１及び第２の基地局に分割されるベアラ分割を伴うdual connectivityのために必要なaccess stratumの第１の制御情報を前記第１の基地局から前記無線端末に送信することを含む。
【００１２】
一実施形態において、無線端末によって行われる制御方法は、（ａ）前記無線端末とコアネットワークの間のネットワークベアラが第１及び第２の基地局に分割されるベアラ分割を伴うdual connectivityのために必要なaccess stratumの第１の制御情報を前記第１又は第２の基地局から受信すること、及び（ｂ）前記第１の制御情報を基に前記ベアラ分割の有無を認識し、前記第１の制御情報に基づいて前記dual connectivityの通信を制御すること、を含む。
【００１３】
一実施形態において、プログラムは、コンピュータに読み込まれた場合に、上述した制御方法をコンピュータに行わせるための命令群（ソフトウェアコード）を含む。
【発明の効果】
【００１４】
上述の実施形態によれば、ベアラ分割を伴うDual Connectivityを開始するために必要な制御手順又はシグナリングを提供することができる。
【図面の簡単な説明】
【００１５】
【図１Ａ】ベアラ分割を伴うDual Connectivityに関するLTE レイヤ２のユーザープレーン プロトコルスタックの一例を示す図である。
【図１Ｂ】ベアラ分割を伴うDual Connectivityに関するLTE レイヤ２のユーザープレーン プロトコルスタックの他の例を示す図である。
【図２】第１〜第３の実施形態に係る無線通信システムの構成例を示す図である。
【図３】第１の実施形態に係るベアラ分割を伴うDual Connectivityを開始するための制御手順の一例を示すシーケンス図である。
【図４】第１の実施形態に係るベアラ分割を伴うDual Connectivityを開始するための制御手順の他の例を示すシーケンス図である。
【図５】第２の実施形態に係るベアラ分割を伴うDual Connectivityを開始するための制御手順の一例を示すシーケンス図である。
【図６】第３の実施形態に係るベアラ分割を伴うDual Connectivityを開始するための制御手順の一例を示すシーケンス図である。
【図７】第１〜第３の実施形態に係るMeNBの構成例を示すブロック図である。
【図８】第１〜第３の実施形態に係るSeNBの構成例を示すブロック図である。
【図９】第１〜第３の実施形態に係るUEの構成例を示すブロック図である。
【発明を実施するための形態】
【００１６】
以下では、具体的な実施形態について、図面を参照しながら詳細に説明する。各図面において、同一又は対応する要素には同一の符号が付されており、説明の明確化のため、必要に応じて重複説明は省略される。
【００１７】
以下に示される複数の実施形態は、主にEvolved Packet System（EPS）に関して説明される。しかしながら、これらの実施形態は、EPSに限定されるものではなく、他のモバイル通信ネットワーク又はシステム、例えば3GPP Universal Mobile Telecommunications System（UMTS）、3GPP2 CDMA2000システム（1xRTT, HRPD (High Rate Packet Data)）、global system for mobile communications（GSM）/ General packet radio service（GPRS）システム、及びWiMAXシステム等に適用されてもよい。
【００１８】
＜第１の実施形態＞
始めに、本実施形態を含む複数の実施形態が対象とするベアラ分割を伴うDual Connectivityのいくつかの例について説明する。図１Ａ及び図１Ｂは、ベアラ分割を伴うDual Connectivity（例えばinter-node radio resource aggregation）に関するLTE レイヤ２のユーザープレーン プロトコルスタックの２つの案（alternative）を示している。ベアラ分割では、UEとコアネットワーク（EPC）のエンドポイント（つまり、P-GW)との間に設定されるネットワークベアラ（EPS bearer）がMeNB１１とSeNB１２に分割される。図１Ａ及び図１Ｂの案では、EPS bearer #2がMeNB１１及びSeNB１２に分割される。図１Ａ及び図１Ｂに示されたEPS bearer #1は、ベアラ分割の対象ではない通常のベアラであり、したがってMeNB１１のセルを経由する無線ベアラに一対一でマッピングされる。
【００１９】
図１Ａ及び図１Ｂの案では、EPS bearer #2に一対一にマッピングされる１つのデータ無線ベアラ（DRB）は、レイヤ２のPacket Data Convergence Protocol（PDCP）副層、又はRadio Link Control（RLC）副層、又はMAC副層のいずれかにおいてMeNB１１及びSeNB１２に分割される。具体的には、図１Ａの案では、MeNB１１のPDCPエンティティがEPS bearer #2のS1-Uを終端する。言い換えると、EPS bearer #2にマッピングされる１つのS1ベアラ及び１つのデータ無線ベアラ（DRB）は、MeNB１１のPDCP副層において終端される。さらに、図１Ａの案では、ベアラ分割のためにMeNB１１及びSeNB１２が独立したRLCエンティティを有しており、MeNB１１にて終端される１つのDRB （又はPDCPベアラ）は、MeNB１１のRLCベアラ及びSeNB１２のRLCベアラに分割される。ここで、PDCPベアラは、eNB及びUEのPDCP副層で終端されるコネクションを意味する。PDCPベアラは、PDCP Protocol Data Unit（PDCP PDU）と呼ぶこともできる。図１Ａの例では、分割されるEPS bearer #2に関して１つのPDCPベアラが存在し、この１つのPDCPベアラはMeNB１１とUE２で終端される。一方、RLCベアラは、eNB及びUEのRLC副層で終端されるコネクションを意味する。RRLCベアラは、RLC PDU又は論理チャネルと呼ぶこともできる。図１の例では、EPS bearer #2に関して２つの独立したRLCベアラが存在し、１つはMeNB１１とUE２で終端され、他の１つはSeNB１２とUE２で終端される。したがって、図１Ａのアーキテクチャでは、UE２は、分割されるEPS bearer #2に関して２つの独立したRLCエンティティが必要とされる。
【００２０】
図１Ｂの案では、図１Ａの案と同様に、MeNB１１のPDCPエンティティがEPS bearer #2のS1-Uを終端する。さらに、分割されるEPS bearer #2に関して、MeNB１１はマスターRLCエンティティを有し、SeNB１２はスレーブRLCエンティティを有する。図１Ｂの案では、UE２は、分割されるEPS bearer #2に関して１つのRLCエンティティのみが必要とされる。下りリンクでは、SeNB１２のスレーブRLCエンティティは、マスターRLCエンティティによって既に組み立てられ、且つ送信のためにスレーブRLCに割り当てられたたRLC PDUsをMeNB１１のマスターRLCエンティティから受信する。
【００２１】
ここで、従来のCarrier Aggregation (CA)の観点から言うと、MeNB１１のセルをPCell、SeNB１２のセルをSCellと呼ぶことができる。以下、これを踏まえて説明する。しかし、本実施形態の適用範囲は、これに限定はされない。例えば、無線端末（UE）が、Dual Connectivityを実行しつつ、SeNB１２の複数のセル（つまり、少なくとも複数の下りリンクComponent Carrier (CC)）をCA（Intra-SeNB CA）する場合、当該CAの対象となるSeNB１２のセルの１つをPCellと位置づけてもよいし、又はPCellのような疑似PCell（Pseudo PCell）として位置づけてもよい。尚、疑似PCell（Pseudo PCell）は、Anchor cell、Master cell、Control cell、等と呼ぶこともできる。前者（SeNB１２のPCell）は、SeNB１２のセルのCAにおいて従来のCAでのPCellと同様の役割を持つ。SeNB１２のPCellでは、例えば、CAをする為のeNB（SeNB）によるSCell configurationやSCell activation/deactivation、UEによるRadio Link Monitoring (RLM)/ Radio Link Failure (RLF) detection、などが行われる。また、UEが、上り制御チャネル（PUCCH）でのL1/L2制御情報（e.g., CQI, CSI, HARQ feedback, Scheduling Request）の送信、Contention-based Random Access Channel (RACH)の（Preambleの）送信、RACH Preambleに対する応答（Random Access Response (RAR)）の受信、などを行ってもよい。後者（SeNB１２のPseudo PCell）は、従来のCAにおけるUser Plane (UP) の制御に関するPCell機能を備えたセルとしての役割を持つ。SeNB１２のPseudo PCellでは、例えば、UEが、上り制御チャネル（PUCCH）でのL1/L2制御情報の送信、Contention-based RACHの（Preambleの）送信、RACH Preambleに対する応答（RAR）の受信、などを行ってもよい。さらに、当該UEにおいて、MeNB11のセルとSeNB１２のセルの間に上下関係（PCellとSCell）や主従関係（MasterとSlave）が無くてもよい。
【００２２】
なお、ベアラ分割を伴うDual Connectivityのユーザープレーン プロトコルスタックは、図１Ａ及び図１Ｂの案に限定されない。ベアラ分割では、例えば、１つのネットワークベアラ（EPS bearer）に２つの無線ベアラがマッピングされてもよい。図１Ａ及び図１Ｂの用語を用いると、EPS bearer #2は、MeNB１１のセル（PCell）を経由する無線ベアラ（RB）及びSeNB１２のセル（SCell）を経由する無線ベアラの両方にマッピングされる。本明細書では説明の便宜上、MeNB１１のセル（PCell）を経由する無線ベアラをPrimary RB（P-RB）、SeNBのセル（SCell）を経由する無線ベアラ（RB）をSecondary RB（S-RB）と定義する。ベアラ分割の対象となるのは基本的にデータ無線ベアラ（DRB）であるため、P-RB及びS-RBは、P-DRB及びS-DRBと呼ぶこともできる。例えば、MeNB１１がPS bearer #2のS1-Uを終端し、MeNB１１及びSeNB１２の各々が独立したPDCPエンティティを有してもよい。さらに、MeNB１１のPDCPエンティティより上層の新たなレイヤにおいてEPS bearer #2の下りリンクS1-UパケットストリームをMeNB１１のPDCPエンティティとSeNB１２のPDCPエンティティにスプリットしてもよい。この場合、EPS bearer #2に関して２つの独立したPDCPベアラが存在し、１つはMeNB１１とUE２で終端され、他の１つはSeNB１２とUE２で終端される。
【００２３】
図２は、本実施形態を含むいくつかの実施形態に係る無線通信システムの構成例を示している。無線通信システムは、無線アクセスネットワーク（Radio Access Network: RAN）１、無線端末（UE）２、及びコアネットワーク３を含む。EPSでは、RAN１はEvolved UMTS Terrestrial Radio Access Network （E-UTRAN）であり、コアネットワーク３はEvolved Packet Core（EPC）である。E-UTRAN１は、基地局（evolved NodeB：eNB）１１及び１２を含む。eNB１１はセル１１０を管理し、eNB１２はセル１２０を管理する。UE２は、無線アクセス技術によってeNB１１及び１２に接続する。EPC３は、E-UTRAN１を介してUE２からアクセスされ、UE２に対して外部ネットワーク（Packet Data Network： PDN）への接続サービス（例えば、Internet Protocol（IP）接続サービス）を提供する。なお、図２は、HetNet環境を示している。具体的に述べると、図２に示されたセル１１０は、セル１２０に比べて広いカバレッジを有する。また、図２は、セル１１０内にセル１２０が配置された階層化セル構成を示している。しかしながら、図２に示されたセル構成は一例に過ぎない。例えば、セル１１０及び１２０は、同程度のカバレッジを有してもよい。言い換えると、本実施形態に係る無線通信システムは、ホモジーニアス・ネットワーク（Homogeneous Network）環境に適用されてもよい。
【００２４】
本実施形態のE-UTRAN１及びUE２は、ベアラ分割を伴うDual Connectivityをサポートする。すなわち、UE２は、eNB（つまり、MeNB）１１のセル１１０をプライマリセル（PCell）として使用している間に、eNB（つまり、SeNB）１２のセル１２０をセカンダリセル（SCell）として使用することができる。UE２は、ベアラ分割の対象とされる１つのEPS bearerのデータをPCell１１０及びSCell１２０を介して受信すること、若しくは１つのEPS bearerのデータをPCell１１０及びSCell１２０を介して送信すること、又はこれら両方を行うことができる。
【００２５】
ベアラ分割を伴うDual Connectivityを開始するために、本実施形態に係るE-UTRAN１及びUE２は、以下に説明される制御手順又はシグナリングを行う。E-UTRAN１は、ベアラ分割を伴うdual connectivityのために必要なaccess stratumの第１の制御情報をUE２に送信するよう構成されている。そして、UE２は、第１の制御情報を基に（つまり、第１の制御情報の復号結果から）ベアラ分割の有無を認識し、第１の制御情報をE-UTRAN１から受信し、ベアラ分割を伴うdual connectivityの通信を第１の制御情報に基づいて制御するよう構成されている。尚、UE２が第１の制御情報を基にベアラ分割の有無を認識する方法は、例えばベアラ分割に関連する設定情報が含まれているか否か、ベアラ分割を行う明確な指示（フラグ等）が含まれているか否か、またはベアラ分割時に必要となる無線リソース制御情報が含まれているか否か、などを用いてもよい。E-UTRAN１からUE２に送られるaccess stratumの第１の制御情報は、以下の情報（１）〜（５）のうち少なくとも１つを含んでもよい。
（１）P-RB及びS-RBに関する無線ベアラ（RB）設定情報
（２）Scheduling Request（SR）に関する制御情報
（３）上りリンク（Uplink: UL）送信電力制御に関する制御情報
（４）上りリンク（UL）MAC PDUの生成に関する制御情報
（５）端末測定報告（UE measurement report）に関する制御情報
【００２６】
（１）P-RB及びS-RBに関するRB設定情報
情報（１）〜（５）について順に説明する。P-RB及びS-RBに関するRB設定情報は、PCell１１０及びSCell１２０を経由する２つのRB（P-RB及びS-RB）と１つのEPS bearerとのマッピングを示す。このRB設定情報は、１つのEPS bearerがPCell１１０を経由するP-RB及びSCell１２０を経由するS-RBの両方にマッピングされるアーキテクチャにおいて有効である。P-RB及びS-RBに関するRB設定情報は、P-RBと共通のEPS bearer identityをS-RBにも設定してもよい。例えば、当該RB設定情報は、P-RBのEPS Radio Bearer identity（又はDRB-identity）に対応付けられているのと同じEPS bearer identityが、S-RBのEPS Radio Bearer identity（又はDRB-identity）に対応付けられることを示してもよい。これに代えて、当該RB設定情報は、P-RBと同じEPS bearer identity及びEPS Radio Bearer identity（又はDRB-identity）をS-RBに対して設定してもよい。
【００２７】
ここで、P-RB及びS-RBに関するRB設定情報と、通常のCA（intra-eNB CA）でのSCell設定情報の違いについて説明する。通常のCA（intra-eNB CA）では、eNBがPCellを経由してUEにSCell設定を送信する。そして、UEがSCell設定を行う。通常のCA のSCell設定は、SCellの（UE毎）個別無線リソース設定情報（RadioResourceConfigDedicatedSCell）を含む。しかしながら、この通常のCAの当該設定情報は、SCell物理チャネル設定情報を含むが、無線ベアラ（RB）に関する情報を含んでいない。なぜなら、通常のCA においてSCell固有に必要とされる機能はPHY層及びMAC副層の機能のみであり（SCellのRLC副層及びPDCP副層はPCellと共通）、SCellに関する無線ベアラ設定（つまり、EPS bearerと無線ベアラのmapping）は不要であるためである。
【００２８】
一方、１つのEPS bearerがPCell１１０を経由するP-RB及びSCell１２０を経由するS-RBの両方にマッピングされるアーキテクチャでは、1つのEPS bearerが異なるeNB（MeNB１１とSeNB１２）の複数の無線ベアラにマッピングされていることを示す情報が必要である。つまり、通常のCA（intra-eNB CA）で採用されているSCell設定方法は、SCellの無線ベアラ設定手順を欠いているため、１つのEPS bearerがPCell１１０を経由するP-RB及びSCell１２０を経由するS-RBの両方にマッピングされるアーキテクチャにおけるSCell設定に適用することが難しい。したがって、ここで説明したように、通常のCAとは異なる新規のRB設定情報（特にS-RBに関する設定情報なので、S-RB設定情報と呼ぶこともできる）が必要とされる。
【００２９】
（２）SRに関する制御情報
Scheduling Request（SR）は、UE2に送信されるべきデータが存在する場合に上りリンク無線リソースの割り当てを要求するためにUEからeNBに送信される。UEは、Physical Uplink Control Channel（PUCCH）において、又はRandom Access Channel（RACH）を使用するRandom Access Procedureを利用して、SRを送信する。SRに関する制御情報は、ベアラ分割の対象とされるEPS Bearerの送信データがUE２に存在する場合に、SRがMeNB１１のセル（例えば、PCell１１０）及びSeNB１２のセル（例えばSCell１２０）のいずれで送信されるべきであるかを示す。一例において、SRに関する制御情報は、SR（又はSRを送るためのRACH）の送信先がMeNB１１（PCell１１０）及びSeNB１２（SCell１２０）のいずれであるかを明示的に示してもよい。これに代えて、SRに関する制御情報は、SR（又はSRを送るためのRACH）の送信先がUE２において選択可能であることを示してもよい。具体的には、SRに関する制御情報は、SR（又はSRを送るためのRACH）の送信先を選択可能にするシグナリングを規定してもよく、UE２においてSRの送信先を選択するよう指示してもよい。このような制御によって、UE２は、ベアラ分割の実行時にもSRの送信先を適切に決定することができる。
【００３０】
（３）UL送信電力制御に関する制御情報
ベアラ分割の実行時には、MeNB１１のセル（例えばPCell１１０）及びSeNB１２のセル（例えばSCell１２０）での上りリンク送信の総送信電力に対して上限が規定されてもよい。UL送信電力制御に関する制御情報は、PCell１１０での上りリンク送信とSCell１２０での上りリンク送信が同一サブフレーム（LTE subframe）においてUE２にスケジュールされた場合（つまり、UE２がPCell１１０とSCell１２０の両方に対してUL grantを受信した場合）に、UE２において上りリンク送信電力を制御する手順に適用されてもよいし、PCell１１０とSCell１２０の両方で上りリンクの送信するデータまたは制御情報が存在する場合に、UE２において上りリンク送信電力を制御する手順に適用されてもよい。当該制御情報は、例えば、PCell１１０及びSCell１２０での上りリンク送信の総送信電力に課される最大送信電力を示してもよい。UE２は、まずPCell１１０での送信電力を決定した後に、SCell１２０での送信電力を決定してもよい。つまり、UE２は、PCell１１０での上りリンク送信で使用されなかった余剰送信電力を用いてSCell１２０における上りリンク送信を行ってもよい。これとは反対に、UE２は、SCell１２０での上りリンク送信で使用されなかった余剰送信電力を用いてPCell１１０における上りリンク送信を行ってもよい。このような制御によって、UE２は、ベアラ分割の実行時にもUL送信電力制御を適切に行うことができる。
【００３１】
これに代えて、ベアラ分割の実行時には、PCell１１０及びSCell１２０での上りリンク送信のそれぞれに個別に送信電力の上限が規定されてもよい。この場合、UL送信電力制御に関する制御情報は、PCell１１０及びSCell１２０での上りリンク送信のそれぞれに個別に課される第１及び第２の最大送信電力を示してもよい。当該制御情報は、第１の最大送信電力の設定値と、第２の最大送信電力を求めるためのオフセット値（正又は負の値）を示してもよい。第１の最大送信電力の設定値にオフセット値を加えた値が、SCell１２０での上りリンク送信に課される第２の最大送信電力とされてもよい。このような制御によっても、UE２は、ベアラ分割の実行時にもUL送信電力制御を適切に行うことができる。
【００３２】
（４）UL MAC PDUの生成に関する制御情報
ベアラ分割の実行時であっても、UE２は、ベアラ分割の対象ベアラ及び非対象ベアラを含む全てのEPS bearerについて、EPS bearer QoS（QoS class identifier（QCI）、guaranteed bit rate（GBR）、又はaggregate maximum bit rate（AMBR）など）を考慮したMAC PDUの生成を行うべきである。なお、MAC PDUは、トランスポートブロックと呼ぶこともできる。したがって、UL MAC PDUの生成に関する制御情報は、MeNB１１のセル（例えばPCell１１０）での上りリンク送信とSeNB１２のセル（例えばSCell１２０）での上りリンク送信が同一サブフレーム（LTE subframe）においてUE２にスケジュールされた場合（つまり、UE2がPCell１１０とSCell１２０の両方に対してUL grantを受信した場合）に、PCell１１０での上りリンク送信のための第１のMAC PDU及びSCell１２０での上りリンク送信のための第２のMAC PDUをUE２において生成する手順に適用される。
【００３３】
UL MAC PDUの生成に関する制御情報は、例えば、ベアラ分割の対象とされるEPS bearerの１つの論理チャネルに対して、第１のMAC PDUの生成時に適用される第１のPrioritized Bit Rate（PBR）、及び第２のMAC PDUの生成時に適用される第２のPBRを示してもよい。言い換えると、当該情報は、ベアラ分割の対象とされるEPS bearerの１つの論理チャネルに対して２つのPBR、すなわちPCell１１０での送信用の第１のPBR及びSCell１２０での送信用の第２のPBR、を指定してもよい。この場合、第１及び第２のPBRは、第１及び第２のPBRの合計（算術和）が、ベアラ分割の対象とされるEPS bearerの１つの論理チャネルにふさわしいPBRとなるよう設定されるとよい。このような制御によって、ベアラ分割の対象とされるEPS bearerの上り送信データが、ベアラ分割の対象とされないEPS bearerのそれに比べて過剰に送信されること（過剰にMAC PDUに含まれること）を抑制できる。
【００３４】
UL MAC PDUの生成に関する制御情報は、ベアラ分割の対象とされるEPS bearerの論理チャネルに与えられるPrioritized Bit Rate（PBR）が、第１及び第２のMAC PDUのいずれにおいて優先的に確保されるべきかを示してもよい。UE２は、PCell１１０で許可された上りリンクリソースをベアラ分割の対象でないEPS bearerの送信に優先的に利用することが適切であるかもしれない。なぜなら、ベアラ分割の対象とされるEPS bearerの上りリンク送信には、SCell１２０で許可された上りリンクリソースを利用できるためである。したがって、UL MAC PDUの生成に関する制御情報は、ベアラ分割の対象とされるEPS bearerの論理チャネルに与えられるPBRが第２のMAC PDUにおいて優先的に確保されるべきであることを示してもよい。このような制御によっても、ベアラ分割の対象とされるEPS bearerの上り送信データが、ベアラ分割の対象とされないEPS bearerのそれに比べて過剰に送信されることを抑制できる。
【００３５】
UL MAC PDUの生成に関する制御情報は、ベアラ分割の実行時に、PCell１１０（第１のMAC PDU）に適用されるPBRとSCell１２０（第２のMAC PDU）に適用されるPBRの間で重み付けを行うための設定値（ウェイト値）を含んでもよい。また、当該制御情報は、ベアラ分割の実行時に、ベアラ分割の対象とされるEPS bearerの論理チャネルに与えられるPBRとベアラ分割の対象とされないEPS bearerの論理チャネルに与えられるPBRの間で重み付けを行うための設定値（ウェイト値）を含んでもよい。
【００３６】
（５）端末測定報告（UE measurement report）に関する制御情報
LTEでは、端末測定報告（UE Measurement Report）のトリガとなる以下のイベントが規定されている。
・Event A1 (Serving becomes better than threshold)
・Event A2 (Serving becomes worse than threshold)
・Event A3 (Neighbour becomes offset better than PCell)
・Event A4 (Neighbour becomes better than threshold)
・Event A5 (PCell becomes worse than threshold1 and neighbour becomes better than threshold2)
・Event A6 (Neighbour becomes offset better than SCell)
【００３７】
ここで、Serving （cell）は、UE２がデータ通信に使用可能なようにネットワーク（つまり、eNB）から設定され且つアクティベートされたセル（cell configured and activated by network）それぞれを指す。例えば、従来のCAでUE２が２つのセルを使用している場合、当該２つのセルがどちらもserving cellとなり、どちらに注目するか（つまり、どちらのserving cellに対して比較をするか）は、当該measurement reportの設定（configuration）が行われたセルがどちらかで決まってもよい。つまり、当該設定が通知されたセル（UE２が当該設定を受信したセル）がserving cellとなってもよい。一方、neighbour (cell)は基本的にserving cell以外のセルである。ただし、Event A3及びA5では、注目する（つまり、比較の基準となる）serving cell以外のserving cellもneighbour cellとしてもよい。
【００３８】
端末測定報告に関する制御情報は、上記イベントのいずれかを含んでもよいし、ベアラ分割時の為に新規に定義されたイベントを含んでもよい。上記イベントのいずれかを含む場合、PCellはMeNB１１のセル１１０でもよいし、SeNB１２のセル１２０でもよい。また、SCellはMeNB11のセル１１０以外のセル（もしそれが設定されていた場合）でもよいし、SeNB１２のセル１２０又はSeNB１２のセル１２０以外のセル（もしそれが設定されていた場合）でもよい。一方、新規イベントとしては、例えば以下のイベントが考えられる。尚、イベントの番号は一例であり、これに限定されない。
・Event A7 (Neighbour becomes offset better than Pseudo PCell)
・Event A8 (Pseudo PCell becomes worse than threshold1 and neighbour becomes better than threshold2)
・Event A9 (Neighbour of SeNB becomes better than threshold)
・Event A10 (Neighbour of SeNB becomes offset better than SCell)
【００３９】
続いて以下では、ベアラ分割を伴うDual Connectivity（例えば、inter-node radio resource aggregation）を開始するための制御手順のいくつかの例について説明する。図３は、ベアラ分割を伴うDual Connectivityを開始するための制御手順の一例を示すシーケンス図である。図３の例では、UE２があるサービス（例えば、FTP download）を開始するためにRRC_IDLE状態からRRC_CONNECTED状態に遷移する手順において、ベアラ分割を伴うDual Connectivityの設定が行われる。E-UTRAN１は、UE２にベアラ分割が必要である（又は効果がある）と判断したことに応じて、ベアラ分割のための設定を開始する。さらに、図３の例では、１つのEPS BearerがPCell１１０を経由するPrimary RB （P-RB）及びSCell１２０を経由するSecondary RB（S-RB）の両方にマッピングされる。図３の例では、UE２は、始めにPCell１１０においてP-RBを確立し、その後にSCell１２０においてS-RBを確立する。
【００４０】
ステップＳ１１では、UE２は、E-UTRAN１との間でConnection Establishment 手順を実行する。ステップＳ１１のConnection Establishment 手順では、まずMeNB１１とUE２の間にRRC connectionが確立され（ステップ１）、その後に初期セキュリティ活性化（initial security activation）とDRB（つまり、P-RB）の確立が行われる（ステップ２）。ステップ１は、UE２からMeNB１１へのRRC Connection Requestメッセージの送信、MeNB１１からUE２へのRRC Connection Setupメッセージの送信、及びUE２からMeNB１１へのRRC Connection Setup Completeメッセージの送信を含む。ステップ２は、MeNB１１からUE２へのRRC Connection Reconfigurationメッセージの送信、及びUE２からMeNB１１へのRRC Connection Reconfiguration Completeメッセージの送信を含む。P-RBの設定情報は、ステップ２のRRC Connection Reconfigurationメッセージに含まれる。
【００４１】
ステップＳ１２では、E-UTRAN１は、UE２にS-RB設定（Bearer Split Configuration）を送信する。S-RB設定の送信は、MeNB１１によって行われてもよいし、MeNB１１及びSeNB１２の組み合わせによって行われてもよい。言い換えると、S-RB設定の一部がMeNB１１からUE２に送信され、S-RB設定の残りがSeNB１２からUE２に送信されてもよい。S-RB設定の送信は、図３に示されるように、RRC Connection Reconfigurationメッセージを用いて行われてもよい。
【００４２】
ステップＳ１３では、UE２は、E-UTRAN１にS-RB設定の完了を報告する。UE２は、S-RB設定の完了をMeNB１１に報告してもよいし、SeNB１２に報告してもよいし、これら両方に報告してもよい。S-RB設定の完了報告は、図３に示されるように、RRC Connection Reconfiguration Completeメッセージを用いて行われてもよい。
【００４３】
ステップＳ１４では、E-UTRAN１は、S-RBの使用開始（Bearer Split Activation）をUE２に通知する。S-RBの使用開始の通知は、MeNB１１によって行われてもよいし、SeNB１２によって行われてもよい。なお、ステップＳ１４は、省略されてもよい。この場合、ステップＳ１３の完了に応じて、S-RBの使用が開始されてもよい。
【００４４】
図３のステップＳ１２においてE-UTRAN１からUE２に送信されるS-RB設定（Bearer Split Configuration）は、上述した“access stratumの第１の制御情報”に相当する。S-RB設定（Bearer Split Configuration）は、例えば、以下に示す４つのメッセージに含まれる設定要素の総称（論理的名称）である。これらの設定要素は、１つの情報要素（Information Element: IE）としてUE２に送られてもよいし、複数の情報要素（IE）として送られてもよい。
・DRB-ToAddMod_Sbearer
・RadioResourceConfigCommon_Sbearer
・RadioResourceConfigDedicated_Sbearer
・BearerSplitResourceConfig
【００４５】
DRB-ToAddMod_Sbearerは、S-RB設定（例えば、eps-BearerIdentity, drb-Identity, pdcp-Config, 及びrlc-Config）を示す。既に述べたように、S-RBのeps-BearerIdentity及びdrb-Identityは、P-RBのeps-BearerIdentity及びdrb-Identityと同じであってもよい。しかしながら、P-RBのdrb-Identityは、P-RBのそれと異なってもよい。
【００４６】
RadioResourceConfigCommon_Sbearerは、S-RBのリソース設定（例えば、prach-Config, pdsch-ConfigCommon, pusch-ConfigCommon, pucch-ConfigCommon, uplinkPowerControlCommon, 及びtdd-Config, dl-Bandwidth）を示す。言い換えると、RadioResourceConfigCommon_Sbearerは、S-RBが設定（確立）されるセルの共通無線リソース情報を含む。
【００４７】
RadioResourceConfigDedicated_Sbearerは、S-RBのリソース設定（例えば、physicalConfigDedicated, 及びmac-MainConfig）を示す。言い換えると、RadioResourceConfigDedicated_Sbearerは、S-RBが設定（確立）されるセルの個別無線リソース情報を含む。上述したDRB-ToAddMod_Sbearerは、このIEの要素の１つとして送信されてもよい。
【００４８】
BearerSplitResourceConfigは、ベアラ分割のための具体的な設定を示す。ベアラ分割のための具体的な設定は、ベアラ分割の実行時に利用される機能に関する制御パラメータを含む。これらの制御パラメータは、ベアラ分割の実行時にはベアラ分割の非実行時とは異なる設定が必要とされる機能、又はベアラ分割の実行時にのみ適用される新しい（特別な）機能の設定に利用される。これらの制御パラメータは、既に述べたように、（ａ）scheduling request（SR）及びrandom access channel（RACH)に関する制御情報、（ｂ）UL送信電力制御（UL power control）に関する制御情報、及び（ｃ）UL MAC PDUの生成（例えば、logical channel prioritization: LCP）に関する制御情報のうち少なくとも１つを含んでもよい。
【００４９】
図４は、ベアラ分割を伴うDual Connectivityを開始するための制御手順の他の例を示すシーケンス図である。図４の例を図３の例と比べると、図４の例は、UE２がRRC_IDLE状態からRRC_CONNECTED状態に遷移する手順においてP-RB及びS-RBが同時に設定される点が図３の例と異なる。
【００５０】
ステップＳ２１〜Ｓ２５では、UE２は、E-UTRAN１との間でConnection Establishment 手順を実行する。すなわち、ステップＳ２１〜Ｓ２５は、図３のステップＳ１１に対応する。ステップＳ２１〜Ｓ２３はRRC connectionの確立手順（ステップ１）であり、ステップＳ２４〜Ｓ２５はDRBの確立手順（ステップ２）である。
【００５１】
ステップＳ２１では、UE２は、RRC Connection RequestメッセージをE-UTRAN１に送信する。ステップＳ２２では、E-UTRAN１は、RRC Connection SetupメッセージをUE２に送信する。このRRC Connection Setupメッセージは、PCell１１０の設定とSCell１２０の設定の両方を含む。ステップＳ２３では、UE２は、RRC Connection Setup CompleteメッセージをE-UTRAN１に送信する。このRRC Connection Setup Completeメッセージは、PCell１１０及びSCell１２０の設定完了を示す。
【００５２】
ステップＳ２４では、DRB（つまり、P-RB及びS-RBの両方）を確立するために、E-UTRAN１は、RRC Connection ReconfigurationメッセージをUE２に送信する。このRRC Connection Reconfigurationメッセージは、P-RB設定とS-RB設定の両方を含む。ステップＳ２５では、UE２は、RRC Connection Reconfiguration CompleteメッセージをE-UTRAN１に送信する。このRRC Connection Reconfiguration Completeメッセージは、P-RB及びS-RBの設定完了を示す。
【００５３】
ステップＳ２５では、E-UTRAN１は、S-RBの使用開始（Bearer Split Activation）をUE２に通知する。図３のステップＳ１４と同様に、ステップＳ２５は省略されてもよい。
【００５４】
図４の手順において、ステップＳ２２で送信されるSCell設定の一部（例えば、BearerSplitResourceConfig）は、ステップＳ２４で送信されてもよい。
【００５５】
図４の手順におけるE-UTRAN１による処理は、MeNB１１によって行われてもよいし、MeNB１１及びSeNB１２の組み合わせによって行われてもよい。
【００５６】
図３及び図４の例は、UE２がRRC_IDLE状態からRRC_CONNECTED状態に遷移する際に、ベアラ分割を伴うDual Connectivityを開始するための制御又はシグナリングが行われる例を示した。しかしながら、ベアラ分割を伴うDual Connectivityを開始するための制御又はシグナリングは、UE２が既にPCell１１０においてRRC_CONNECTED状態であり且つEPC３との間でECM-CONNECTED状態であり、PCell１１０を経由してEPC３からサービスを受けているとき（EPS Bearerが設定されているとき）に行われてもよい。
【００５７】
以上の説明から理解されるように、本実施形態は、ベアラ分割を伴うDual Connectivityを開始するために必要な制御手順又はシグナリングを提供することができる。
【００５８】
＜第２の実施形態＞
本実施形態は、上述した第１の実施形態の変形について説明する。本実施形態に係る無線通信システムの構成例は図２と同様である。本実施形態では、MeNB１１は、基地局間インタフェース（例えば、Xnインタフェース）を介してSeNB１２とシグナリングメッセージを交換し、ベアラ分割を伴うDual Connectivity（例えばinter-node radio resource aggregation）の設定をSeNB１２に適用する。例えば、MeNB１１は、ベアラ分割を伴うDual Connectivityを開始するために必要な第２の制御情報（つまり、ベアラ分割の設定情報）をSeNB１２に送信してもよい。このとき、SeNB１２は、MeNB１１から受信した第２の制御情報（ベアラ分割の設定情報）を受け入れ可能であるかを判定してよい。もし受け入れ可能でない場合、SeNB１２は、受け入れ不可能であることをMeNB１１に通知してもよいし、受け入れ可能な代替設定をMeNB１１に提案してもよい。なお、当該第２の制御情報（ベアラ分割の設定情報）の内容は、前述の第１の制御情報の内容と少なくとも一部が共通していてもよい。さらに、Xnインタフェースの代わりに、X2インタフェースや、S1インタフェースを介してMeNB１１とSeNB１２がシグナリングメッセージを交換してもよい。
【００５９】
図５は、本実施形態において、ベアラ分割を伴うDual Connectivityを開始するための制御手順の一例を示すシーケンス図である。図５の例では、図３の例と同様に、UE２があるサービス（例えば、FTP download）を開始するためにRRC_IDLE状態からRRC_CONNECTED状態に遷移する手順において、ベアラ分割を伴うDual Connectivityの設定が行われる。MenB１１は、UE２にベアラ分割が必要である（又は効果がある）と判断したことに応じて、ベアラ分割のための設定を開始する。図５の例では、図３の例と同様に、１つのEPS BearerがPCell１１０を経由するPrimary RB （P-RB）及びSCell１２０を経由するSecondary RB（S-RB）の両方にマッピングされる。図５の例では、図３の例と同様に、UE２は、始めにPCell１１０においてP-RBを確立し、その後にSCell１２０においてS-RBを確立する。
【００６０】
MeNB１１とUE２の間で行われるステップＳ３１の処理は、図３に示されたステップＳ１１の処理と同様とすればよい。図５のステップＳ３２では、MeNB１１は、ベアラ分割（の実行又は設定）をSeNB１２に要求する。ステップＳ３３では、SeNB１２は、ベアラ分割（の実行又は設定）の受け入れ可否をMeNB１１に応答する。SeNB１２においてベアラ分割（の実行又は設定）が受諾された場合、ステップＳ３４〜Ｓ３６の処理が行われる。MeNB１１とUE２の間で行われるステップＳ３４〜Ｓ３６の処理は、図３に示されたステップＳ１２〜Ｓ１４の処理と同様とすればよい。
【００６１】
図５のステップＳ３２においてMeNB１１からSeNB１２にベアラ分割の要求が送信される際に、ベアラ分割の設定情報が送信されてもよい。ベアラ分割の設定情報は、例えば、ベアラ分割の対象とされるEPS bearerとS-RBとのマッピングを示す。ベアラ分割の設定情報は、ベアラ分割の対象とされるEPS bearer のEPS bearer identityとS-RBのRadio Bearer identity（DRB-identity）を含んでもよい。これに代えて、ベアラ分割の設定情報は、EPS bearerのEPS bearer identityを含み、S-RBのRadio Bearer identity（DRB-identity）を含まなくてもよい。この場合、SeNB１２は、S-RBのRadio Bearer identity（DRB-identity）を決定し、決定したS-RBのRadio Bearer identity（DRB-identity）をステップＳ３３においてMeNB１１に通知してもよい。
【００６２】
図５のステップＳ３２においてMeNB１１からSeNB１２に送信されるベアラ分割の設定情報は、図３のステップＳ１２（及び図５のステップＳ３４）で送信される以下の情報の少なくとも１つを含んでもよい。
・DRB-ToAddMod_Sbearer
・ベアラ分割の対象となるSeNBのセルの識別情報（例えば、ECGI及び／又はPCI）
・RadioResourceConfigCommon_Sbearer
・RadioResourceConfigDedicated_Sbearer
・BearerSplitResourceConfig
【００６３】
これらに加えて又はこれらの代わりに、ベアラ分割の設定情報は、以下に示す情報の少なくとも１つを含んでもよい。
・UE２の識別情報（例えば、C-RNTI及び／又はTMSI）
・セキュリティに関する情報
・無線リソース使用に関する情報
【００６４】
セキュリティに関する情報は、例えば、KeNB、KeNB*、NextHopChainingCount、SecurityAlgorithmConfig、などが考えられる。しかし、その他のaccess stratum (AS) layerのセキュリティに関する情報でもよい。無線リソース使用に関する情報は、例えば、SeNB１２におけるリソースの使用状況（Resource Status）の報告の要求、及び／又は当該報告の周期、などが考えられる。
【００６５】
以上の説明から理解されるように、本実施形態は、ベアラ分割を伴うDual Connectivityを開始するために必要な、MeNB１１とSeNB１２の間の制御手順又はシグナリングを提供することができる。
【００６６】
＜第３の実施形態＞
本実施形態は、上述した第１及び第２の実施形態の変形について説明する。本実施形態に係る無線通信システムの構成例は図２と同様である。本実施形態に係るMeNB１１は、第２の実施形態と同様に、基地局間インタフェース（例えば、Xnインタフェース）を介してSeNB１２とシグナリングメッセージを交換し、ベアラ分割を伴うDual Connectivityの設定をSeNB１２に適用する。
【００６７】
図６は、本実施形態において、ベアラ分割を伴うDual Connectivityを開始するための制御手順の一例を示すシーケンス図である。図６の例では、図４の例と同様に、UE２がRRC_IDLE状態からRRC_CONNECTED状態に遷移する手順においてP-RB及びS-RBが同時に設定される。
【００６８】
MeNB１１とUE２の間で行われるステップＳ４１〜Ｓ４３の処理は、図４に示されたステップＳ２１〜Ｓ２３の処理と同様とすればよい。図６のステップＳ４４では、MeNB１１は、EPC３との間でNAS Service Setupを行い、EPS Bearerを設定する（NAS接続確立）。このとき、MeNB１１は、ベアラ分割の要求又はベアラ分割を行うことの通知などをEPC３（具体的にはMME）に送信してもよい。
【００６９】
MeNB１１とSeNB１２の間で行われるステップＳ４５及びＳ４６の処理は、図５に示されたステップＳ３２及びＳ３３の処理と同様とすればよい。すなわち、ステップＳ４５では、MeNB１１は、ベアラ分割の実行（設定）をSeNB１２に要求する。ステップＳ４６では、SeNB１２は、ベアラ分割の実行（設定）の受け入れ可否をMeNB１１に応答する。
【００７０】
MeNB１１とUE２の間で行われるステップＳ４７〜Ｓ４９の処理は、図４に示されたステップＳ２４〜Ｓ２６の処理と同様とすればよい。なお、ステップＳ４５及びＳ４６の手続きでSeNB１２においてベアラ分割の実行（設定）が受諾されたことに応じて、MeNB１１は、ステップＳ４７において、P-RB設定とS-RB設定の両方を含むRRC Connection ReconfigurationメッセージをUE２に送信すればよい。これに対して、SeNB１２においてベアラ分割の実行（設定）が拒否された場合、MeNB１１は、ステップＳ４７において、P-RB設定を含むがS-RB設定を含まないRRC Connection ReconfigurationメッセージをUE２に送信すればよい。
【００７１】
以上の説明から理解されるように、本実施形態は、ベアラ分割を伴うDual Connectivityを開始するために必要な、MeNB１１とSeNB１２の間の制御手順又はシグナリングを提供することができる。
【００７２】
続いて以下では、上述した第１〜第３の実施形態に係るMeNB１１、SeNB１２、及びUE２の構成例について説明する。図７は、MeNB１１の構成例を示すブロック図である。無線通信部１１１は、UE２から送信された上りリンク信号（uplink signal）をアンテナを介して受信する。受信データ処理部１１３は、受信された上りリンク信号を復元する。得られた受信データは、通信部１１４を経由して他のネットワークノード、例えばEPC３のServing Gateway（S-GW）又はMME、又は他のeNBに転送される。例えば、UE２から受信された上りユーザーデータは、EPC３内のS-GWに転送される。また、UE２から受信された制御データのうちNASの制御データは、EPC３内のMMEに転送される。さらに、受信データ処理部１１３は、SeNB１２に送信される制御データを通信制御部１１５から受信し、これを通信部１１４を経由してSeNB１２に送信する。
【００７３】
送信データ処理部１１２は、UE２宛てユーザーデータを通信部１１４から取得し、誤り訂正符号化、レートマッチング、インタリービング等を行なってトランスポートチャネルを生成する。さらに、送信データ処理部１１２は、トランスポートチャネルのデータ系列に制御情報を付加して送信シンボル列を生成する。無線通信部１１１は、送信シンボル列に基づく搬送波変調、周波数変換、信号増幅等の各処理を行って下りリンク信号（downlink signal）を生成し、これをUE２に送信する。さらに、送信データ処理部１１２は、UE２に送信される制御データを通信制御部１１５から受信し、これを無線通信部１１１を経由してUE２に送信する。
【００７４】
通信制御部１１５は、ベアラ分割を伴うDual Connectivityを制御する。通信制御部１１５は、ベアラ分割を伴うdual connectivityのために必要なaccess stratumの第１の制御情報を、送信データ処理部１１２及び無線通信部１１１を介して、UE２に送信するよう構成されている。また、第２及び第３の実施形態では、通信制御部１１５は、ベアラ分割の対象とされるEPS bearerとS-RBとのマッピングを示す無線ベアラ（RB）設定情報を、通信部１１４を介して、SeNB１２に送信するよう構成されている。
【００７５】
図８は、SeNB１２の構成例を示すブロック図である。図８に示された無線通信部１２１、送信データ処理部１２２、受信データ処理部１２３、及び通信部１２４の機能及び動作は、図７に示されたMeNB１１の対応する要素、すなわち無線通信部１１１、送信データ処理部１１２、受信データ処理部１１３、及び通信部１１４と同様である。
【００７６】
SeNB１２の通信制御部１２５は、ベアラ分割を伴うDual Connectivityを制御する。第２及び第３の実施形態では、通信制御部１２５は、ベアラ分割の対象とされるEPS bearerとS-RBとのマッピングを示す無線ベアラ（RB）設定情報を、通信部１２４を介して、MeNB１１から受信するよう構成されている。
【００７７】
図９は、UE２の構成例を示すブロック図である。無線通信部２１は、Dual Connectivityをサポートし、異なるeNB（MeNB１１及びSeNB１２）によって運用される複数のセル（PCell１１０及びSCell１２０）において同時に通信できるよう構成されている。具体的には、無線通信部２１は、アンテナを介して、MeNB１１若しくはSeNB１２又はこれら両方から下りリンク信号を受信する。受信データ処理部２２は受信された下りリンク信号から受信データを復元してデータ制御部２３に送る。データ制御部２３は、受信データをその目的に応じて利用する。また、送信データ処理部２４及び無線通信部２１は、データ制御部２３から供給される送信データを用いて上りリンク信号を生成し、MeNB１１若しくはSeNB１２又はこれら両方に向けて送信する。
【００７８】
UE２の通信制御部２５は、ベアラ分割を伴うDual Connectivityを制御する。通信制御部２５は、第１の実施形態で説明されたように、ベアラ分割を伴うdual connectivityのために必要なaccess stratumの第１の制御情報をE-UTRAN１（MeNB１１又はSeNB１２）から受信し、ベアラ分割を伴うdual connectivityの通信を第１の制御情報に基づいて制御する。
【００７９】
＜その他の実施形態＞
第１〜第３の実施形態で説明されたベアラ分割を伴うDual Connectivityに関するMeNB１１、SeNB１２、及びUE２における通信制御は、いずれもApplication Specific Integrated Circuit（ASIC）を含む半導体処理装置を用いて実現されてもよい。また、これらの処理は、少なくとも１つのプロセッサ（e.g. マイクロプロセッサ、Micro Processing Unit（MPU）、Digital Signal Processor（DSP））を含むコンピュータシステムにプログラムを実行させることによって実現されてもよい。具体的には、シーケンス図等を用いて説明されたアルゴリズムをコンピュータシステムに行わせるための命令群を含む１又は複数のプログラムを作成し、当該プログラムをコンピュータに供給すればよい。
【００８０】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８１】
また、第１〜第３の実施形態では、主にLTEシステムに関して説明を行った。しかしながら、既に述べたように、これらの実施形態は、LTEシステム以外の無線通信システム、例えば、3GPP UMTS、3GPP2 CDMA2000システム（1xRTT, HRPD）、GSM/GPRSシステム、又はWiMAXシステム等に適用されてもよい。
【００８２】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００８３】
この出願は、２０１３年１０月３１日に出願された日本出願特願２０１３−２２７４７２を基礎とする優先権を主張し、その開示の全てをここに取り込む。
【符号の説明】
【００８４】
１  Evolved UTRAN（E-UTRAN）
２  User Equipment（UE）
３  Evolved Packet Core（EPC）
１１  Master eNodeB（MeNB）
１２  Secondary eNodeB（SeNB）
２５  通信制御部
１１０  Primary Cell（PCell）
１２０  Secondary Cell（SCell）
１１５  通信制御部
１２５  通信制御部
【図１Ａ】
2018157600.tif 000003
【図１Ｂ】
2018157600.tif 000004
【図２】
2018157600.tif 000005
【図３】
2018157600.tif 000006
【図４】
2018157600.tif 000007
【図５】
2018157600.tif 000008
【図６】
2018157600.tif 000009
【図７】
2018157600.tif 000010
【図８】
2018157600.tif 000011
【図９】
2018157600.tif 000012